(57)【要約】      （修正有）【課題】予約された番組の有無を簡単に理解でき、かつ、予約された番組と近い時間帯の番組も知ることができるテレビを提供する。【解決手段】表示画面の右側に電子番組表を表示する。電子番組表の横軸はチャネル軸、縦軸は時間軸になっている。チャネル軸と時間軸とによるマトリックスの各領域には、それぞれのチャネル、時間帯に放送される放送コンテンツ名などの番組情報を表示する。予約リストは表示画面の左側に表示され、上から順番に既に予約されている予約番組の名称、チャネル、時間帯などの予約情報が放送時間順に表示される。番号タブは、予約リストに記載される予約済みの番組情報が一画面で収まらない場合に表示され、このタブをポイントすると次のページをめくることができる。また、予約可能数と予約された件数が予約リスト部分に表示され、あと何件分の予約が可能かを簡単に確認できる。【選択図】図８
2010068454.tif 000002
【特許請求の範囲】
【請求項１】
視聴予約又は録画予約のうちのいずれか一方が可能なデジタル放送受信装置であって、
電子番組表を生成する電子番組表生成部と、
予約番組のリストである予約リストを生成する予約リスト生成部と、を備え、
前記電子番組表と前記予約リストとを一画面で表示させる電子番組表−予約リスト一画面表示機能を有していることを特徴とするデジタル放送受信装置。
【請求項２】
前記視聴予約又は録画予約のうちのいずれか一方が可能なデジタル放送受信装置であって、
電子番組表を生成する電子番組表生成部と、
予約番組のリストである予約リストを生成する予約リスト生成部と、を備え、
前記電子番組表と前記予約リストとを一画面で表示させるとともに、前記電子番組表と前記予約リストとのいずれか一方に関する操作が他方にも反映される電子番組表−予約リスト一画面表示機能を有していることを特徴とするデジタル放送受信装置。
【請求項３】
前記電子番組表−予約リスト一画面表示機能は、電子番組表のみが表示されている画面から前記電子番組表−予約リスト一画面表示機能を発揮させるための操作キーが押されることを契機として、前記予約リストも表示させるものであることを特徴とする請求項１又は２に記載のデジタル放送受信装置。
【請求項４】
前記電子番組表−予約リスト一画面表示機能は、電子番組表を表示するための操作が行われた場合に、前記予約リストに予約アイテムが存在する場合に、自動的に前記予約リストも表示させるものであることを特徴とする請求項１又は２に記載のデジタル放送受信装置。
【請求項５】
前記電子番組表−予約リスト一画面表示機能を動作させると、前記予約リストで選択されている予約番組が、前記電子番組表の所定の位置に表示されるように制御されることを特徴とする請求項１から４までのいずれか１項に記載のデジタル放送受信装置。
【請求項６】
さらに、所定のキー操作により、前記番組表の表示領域と前記予約リストの表示領域との間を移動することが可能であることを特徴とする請求項１から５までのいずれか１項に記載のデジタル放送受信装置。
【請求項７】
電子番組表を生成する電子番組表生成部と、予約番組のリストである予約リストを生成する予約リスト生成部と、前記視聴予約又は録画予約のうちのいずれか一方が可能なデジタル放送受信装置における表示制御方法であって、
前記電子番組表を表示させた状態で所定の操作を感知して、前記電子番組表に加えて前記予約リストを一画面で表示させるステップを有することを特徴とする表示制御方法。
【請求項８】
前記電子番組表と前記予約リストとを一画面で表示させた状態で、前記電子番組表と前記予約リストとのいずれか一方に関する操作が他方にも反映させる制御を行うステップとを有していることを特徴とする請求項７に記載の表示制御方法。
【請求項９】
前記電子番組表を表示するための操作が行われた場合に、前記予約リストに予約アイテムが存在する場合に、自動的に前記予約リストも表示させるステップを有することを特徴とする請求項８に記載の表示制御方法。
【請求項１０】
前記予約リストで予約番組が選択されると、前記電子番組表の所定の位置に表示されるように制御されることを特徴とする請求項７から９までのいずれか１項に記載の表示制御方法。
【請求項１１】
請求項７から１０までのいずれか１項に記載の方法をコンピュータに実行させるためのプログラム。
【請求項１２】
請求項１１に記載のプログラムを記録するコンピュータ読みとり可能な記録媒体。
【発明の詳細な説明】
【技術分野】
【０００１】
本発明は、デジタル放送受信装置に関し、特に、電子番組表（ＥＰＧ）を用いた番組予約技術に関する。
【背景技術】
【０００２】
デジタル放送受信装置では、多くのチャネルの番組を視聴することが可能であるが、そのため、番組の予約の操作にはＥＰＧが利用されている。図１０は、番組予約の一覧を示す予約リストの一例を示す図であり、図１１は、ＥＰＧの表示画面の一例を示す図である。
【０００３】
図１１に示すように、一般的なＥＰＧ表示画面では、例えば、横軸がチャネル軸、縦軸が時間軸となっており、ここでは、フジテレビ、テレビ朝日、テレビ東京などの放送局（より詳細にはサービスＩＤにより区別されるチャネル）が配置され、縦軸には放送時間が上から時系列的に配置されている。チャネル軸と時間軸とにより画定されるマトリックス内の各升目内に番組名などの番組情報が表示され、ユーザは、この升目内にフォーカスを当て、決定キーを押すなどの操作により、希望する番組を予約することができる。
【０００４】
また、ＥＰＧを利用した予約に関する技術としては、下記特許文献１に記載のものが知られている。
【０００５】
特許文献１に記載の番組表に録画番組、予約番組を表示する仮想チャンネル(プライベートチャンネル)を作成し、そこに録画番組、予約番組を表示するものである。
【０００６】
【特許文献１】特開２０００−２９５５５８号公報
【発明の開示】
【発明が解決しようとする課題】
【０００７】
上記のように、一般的な電子番組表から番組の視聴予約や録画予約を行う場合に、予約事項を確認するためには、図１１に示す電子番組表とは別に用意されている、図１０に示すような予約番組を管理する「予約リスト」画面（予約一覧）を表示しなければならなかった。図１１に示す電子番組表の表示画面においても、予約した番組に対して、予約されているという状態を、番組の枠部分の色を変化させる、アイコンを表示する、などの方法によりその状態をわかりやすく表示するなどの処理を行うことができるが、予約されている番組が放送される時間帯の付近を表示させない限り、予約されている番組の確認を行うことはできないため、操作が煩雑である。また、図１０に示す「予約リスト」の画面では、予約する番組の情報のみがリスト形式で表示されているため、予約した番組の放送時間と同じ時間帯付近にどのような番組があるかなどの情報を得ることはできない。
【０００８】
また、特許文献１に記載の技術では、実際に予約を行う番組が存在する時間帯に番組表を移動させなければ、予約があるのかどうかが確認できない。また、予約番組の一覧を表示させるためには、別の画面(プライベートチャンネル一覧)を開かなければならないという煩雑さがある。さらに、電子番組表でプライベートチャンネルに移動するには、カーソルキーをチャンネル方向に移動させ、全てのチャンネルを表示させなければならないため、予約状況を知ることが難しいという問題がある。
【０００９】
本発明は、上記の課題に鑑みてなされたものであり、予約された番組の有無を理解することが簡単にでき、かつ、予約された番組と近い時間帯の番組も知ることができるデジタル放送受信装置を提供することにある。
【課題を解決するための手段】
【００１０】
本発明は、番組表と「予約リスト」を同時に表示できるようにする。もしくは、普段は番組表だけの画面であるが、リモコン上のキーを押すことで、番組表と「予約リスト」とを同時に表示できるようにする。これにより、予約されている番組が一目でわかるようになり、また、同時表示されている「予約リスト」上にカーソルを移動することで、予約されている番組の時間帯の情報が番組表に表示されるようにすることで、予約されている番組と同じ時間帯にどのような番組があるのかがすぐにわかるようになる。
【００１１】
本発明の一観点によれば、視聴予約又は録画予約のうちのいずれか一方が可能なデジタル放送受信装置であって、電子番組表を生成する電子番組表生成部と、予約番組のリストである予約リストを生成する予約リスト生成部と、を備え、前記電子番組表と前記予約リストとを一画面で表示させる電子番組表−予約リスト一画面表示機能を有していることを特徴とするデジタル放送受信装置が提供される。
【００１２】
また、前記視聴予約又は録画予約のうちのいずれか一方が可能なデジタル放送受信装置であって、電子番組表を生成する電子番組表生成部と、予約番組のリストである予約リストを生成する予約リスト生成部と、を備え、前記電子番組表と前記予約リストとを一画面で表示させるとともに、前記電子番組表と前記予約リストとのいずれか一方に関する操作が他方にも反映される電子番組表−予約リスト一画面表示機能を有していることを特徴とするデジタル放送受信装置が提供される。
【００１３】
前記電子番組表−予約リスト一画面表示機能は、電子番組表のみが表示されている画面から前記電子番組表−予約リスト一画面表示機能を発揮させるための操作キーが押されることを契機として、前記予約リストも表示させるものであることが好ましい。前記電子番組表−予約リスト一画面表示機能は、電子番組表を表示するための操作が行われた場合に、前記予約リストに予約アイテムが存在する場合に、自動的に前記予約リストも表示させるものであることが好ましい。
【００１４】
前記電子番組表−予約リスト一画面表示機能を動作させると、前記予約リストで選択されている予約番組が、前記電子番組表の所定の位置に表示されるように制御されることが好ましい。さらに、所定のキー操作により、前記番組表の表示領域と前記予約リストの表示領域との間を移動することが可能であることが好ましい。
【００１５】
本発明の他の観点によれば、電子番組表を生成する電子番組表生成部と、予約番組のリストである予約リストを生成する予約リスト生成部と、前記視聴予約又は録画予約のうちのいずれか一方が可能なデジタル放送受信装置における表示制御方法であって、前記電子番組表を表示させた状態で所定の操作を感知して、前記電子番組表に加えて前記予約リストを一画面で表示させるステップを有することを特徴とする表示制御方法が提供される。
【００１６】
前記電子番組表と前記予約リストとを一画面で表示させた状態で、前記電子番組表と前記予約リストとのいずれか一方に関する操作が他方にも反映させる制御を行うステップとを有していることが好ましい。前記電子番組表を表示するための操作が行われた場合に、前記予約リストに予約アイテムが存在する場合に、自動的に前記予約リストも表示させるステップを有することが好ましい。前記予約リストで予約番組が選択されると、前記電子番組表の所定の位置に表示されるように制御されることが好ましい。本発明は、上記に記載の方法をコンピュータに実行させるためのプログラムであっても良く、このプログラムを記録するコンピュータ読みとり可能な記録媒体であっても良い。上記プログラムは、インターネットなどの伝送媒体により取得するものであっても良い。
【発明の効果】
【００１７】
以上のように、本発明によれば、予約された番組の有無を速やかに理解することができ、また、予約された番組と近い時間帯の番組も理解することができるため、あと何件予約が可能であるのか、どの時間の番組であれば予約が可能であるのかが容易に理解できるようになるという利点がある。
【発明を実施するための最良の形態】
【００１８】
以下、本発明の一実施の形態によるデジタル放送受信装置について図面を参照しながら、説明を行う。図１は、本実施の形態によるデジタル放送受信装置の一構成例を示す図である。図１に示すデジタル放送受信装置Ａは、記録再生機能を備えたデジタルテレビジョン受信装置であり、いわゆるレコーダ一体型のテレビジョン装置であるが、このような一体型の装置に本発明を限定するものではない。
【００１９】
図１に示すように、本発明の一実施の形態によるデジタル放送受信装置Ａは、アンテナから受信したデジタル放送の信号を受信して選局するなどの処理を行うフロントエンド１と、デマルチプレクサ３と、デマルチプレクサ３からの出力をデコードする映像・音声デコード５と、デコードされた映像信号と後述する番組表データとを合成して表示させるための信号を生成する画面合成部１７と、画面合成部１７で合成した信号に基づく表示部２１と、音声を出力する音声出力部７と、を有している。
【００２０】
さらに、デマルチプレクサ３から出力された番組情報をデコードする番組情報デコード部１１と、番組情報デコード部１１によりデコードされた番組情報に基づいて電子番組表を生成する電子番組表生成部１５と、を備える。電子番組表生成部１５には、予約リスト（予約一覧表）を作成する予約リスト生成部１５ａが設けられている。図では、予約リスト生成部１５ａが電子番組表生成部１５内に設けられているが、両者が別々に設けられていても良い。
【００２１】
加えて、他の外部機器との間のインターフェイスを形成するインターフェイス部３１と、制御機器であるリモコン装置からのリモコン信号を受信するリモコン受光部２３と、光メディアなどを駆動して、放送番組などの記録・再生を行う光メディア駆動部３３と、大容量のコンテンツを記録するハードディスク部２９と、全体を制御する制御部（ＣＰＵ）２５と、制御部２５において実行され、各種の処理を行わせるためのアプリケーションプログラムを記録し、そのプログラムを展開してＣＰＵに提供するメモリ部（ＲＡＭ・ＲＯＭ）２７と、を有している。
【００２２】
上記の構成により、デジタル放送などのコンテンツを表示させたり、電子番組表（ＥＰＧ）を表示させたり、予約一覧を表示させたりすることができる。
【００２３】
図２は、図１に示すデジタル放送受信装置Ａと外部機器であるＤＶＤレコーダＢとを、それぞれのインターフェイス３１ａ・３１ｂを介してＨＤＭＩケーブルにより接続した様子を示す図である。ＨＤＭＩ接続では、双方向通信が可能になっており、例えば、映像信号の流れる方向はレコーダＢからデジタルテレビＡに向けられ、制御信号（ＣＥＣ）の流れる方向は双方向である。ＨＤＭＩに代えて、ＩＥＥＥなどの接続方法でも良い。このような構成とすれば、テレビジョン受信装置に記録再生機能が設けられていない場合であっても、１つのリモコン装置によって、放送番組（コンテンツ）の記録・再生・視聴などの予約・実行が可能である。
【００２４】
図３は、制御装置であるリモコン装置６１の一構成例を示す図である。リモコン装置６１は、電源スイッチ６３と、数字ボタン６７と、選局ボタン６５と、ｉ−ＬＩＮＫなどの連動ボタン７３と、２画面表示などのボタン７５と、方向キー（選択キー）・決定ボタン７１及び番組表表示ボタン７２と、カラーキー（特殊キー）８１と、が設けられている。カラーキー（特殊キー）８１のいずれかを、電子番組表・予約リスト同時表示キーとして割り当てておくことにする。もちろん、専用のボタンを設けても良い。ファミリンクの録画・再生ボタンにより、テレビ側のリモコンによりレコーダの制御が可能になっている。
【００２５】
図４から図７までは、電子番組表と予約リストとの表示に関する処理の流れを示すフローチャート図である。図４に示すように、まず処理を開始させるために（ステップＳ１：Ｓｔａｒｔ）、番組表表示ボタンをオンしたか否かを検出する。オンを検出すると（Ｙｅｓ）、ステップＳ３に進み、電子番組表を表示させる。ここで、電子番組表・予約リスト同時表示キー８１の押圧が検出されると（ステップＳ４でＹｅｓ）、ステップＳ５に進み、番組表と予約リストとが同時（同じ画面）に表示される。ここで、ステップＳ４の代わりに、予約リストに予約があると、自動的に予約リストを表示させるようにしても良い。予約に基づく処理が終了すると、予約リストから削除される。
【００２６】
図８は、番組表と予約リストとが同時に（一画面で）表示されている表示例を示す図である。図８においては、画面表示１００の右側に一般的な電子番組表の表示領域が設けられそこに電子番組表１０１が表示されている。この電子番組表１０１の横軸はチャネル軸、縦軸は時間軸になっており、チャネル軸に沿って、例えば、フジテレビジョン１０３，テレビ朝日１０５、テレビ東京１０７などが表示され、時間軸に沿って時間が表示されている。チャネル軸と時間軸とにより画定されるマトリックスの対応する領域１１０には、それぞれのチャネル、時間帯に放送される放送コンテンツ名などの番組情報が記載されている。このような機能を、電子番組表−予約リスト一画面表示機能と称する。この電子番組表−予約リスト一画面表示機能は、単に表示だけでなく、電子番組表と予約リストとの一方に関する操作を行うと、他方にもその操作の結果が反映されるようになっている。
【００２７】
一方、予約リスト１２１表示は、表示画面１００の例えば右側の領域に表示されており、この例では、上から順番に、既に予約されている予約番組の名称、チャネル、時間帯などの予約情報が記載され、放送時間順に表示されている。ここでは、先頭として、「スターウォーズの世界１２３、インディージョーンズ１２５が表示され、２つの番組が予約済みであることが理解できる。符号１２７で示される番号タブは、予約リストに記載される予約済みの番組情報が一画面で収まらない場合に、１、２、…などのようにタブとして表示され、このタブをポイント（選択及び決定）することにより、次のページをめくることができる。また、符号１３１は、予約可能数（分母：ここでは１６）と何件予約したかと（分子：ここでは２）を予約リスト部分に表示した例を示すものであり、この表示１３１により、あと何件分の予約が可能であるかに関する確認が簡単にできる。尚、視聴予約と録画予約を、別のリストで表示しても良いし、同じリストで識別できるようにしても良い。
【００２８】
図５は、番組予約がある場合のみ、ＥＰＧに加えて予約リスト表示を行う処理例を示す図である。まず、ステップＳ１１において処理を開始すると（Ｓｔａｒｔ）、ステップＳ１２で番組表表示ボタンが押されると（Ｙｅｓ）、ステップＳ１４において予約済みの番組が存在するかどうかを判定し、Ｎｏの場合には、番群表のみを表示させ（ステップＳ１３）、Ｙｅｓの場合には、ステップＳ１５に進み、番組表・予約リストを同時表示させ、処理を終了する（ステップＳ１６）。この処理によれば、特にユーザが意識して２画面（ＥＰＧと予約リスト）表示をさせるための動作を行わない場合でも、自動的に２画面表示を行うため、ＥＰＧを見ながら予約状況を確認する作業が簡単になる。
【００２９】
図６は、図５とほぼ同様の処理内容を示す図であるが、ステップＳ１４において予約番組がない場合に、予約がない旨の表示を行う点が異なる。このように、予約がない旨を表示することにより、ユーザは予約が無いことを明示的に知ることができる。
【００３０】
図７は、ステップＳ５又はステップＳ１５からの処理の流れを示す図である。図９は、この処理に関して、ＥＰＧ表示画面で示した図である。図７に示すように、ステップＳ５、Ｓ１５から、ステップＳ２１に進み、予約リストの番組表示のいずれかにカーソルの移動を検出すると（ステップＳ２１でＹｅｓ）、ステップＳ２２において、番号表の所定の位置（例えば、図９の上図の符号１４１で示す位置）に、予約リストで選択状態にある番組１２３と同じ放送番組が表示されるように再表示される（図９の上図参照）。次いで、ステップＳ２３において予約リストのカーソルの移動を検出すると（Ｙｅｓ）、ステップＳ２２に進み、番号表の所定の位置（例えば、図９の下図の符号１４３で示す位置）に、予約リストで選択状態にある番組１２３と同じ放送番組が表示されるように再表示される（図９の下図参照）。このように、予約リストの中からいずれかを選択してフォーカスを当てると、番組表の表示も、予約リストで選択された番組を所定の位置とした表示となる。これにより、予約リストで予約した番組の近くの時間、チャネルに、他にどのような番組があるかを簡単に知ることができる。すなわち、予約リストにカーソルがある場合は、予約された番組に連動して、番組表の時間帯も変わるため、予約した番組と同一時間帯のほかのチャンネルにどのような番組があるのかがわかりやすい。また、番組表部分で予約を実行した場合、予約リストにすぐ反映されるようになっているため、正しく予約したことがすぐ確認できる。予約リストへ反映する際には、予約番組の表示セルを移動させるなどしてわかりやすくしてもよい。
【００３１】
尚、予約リストで選択された番組が表示される番組表における位置は、左上隅に限定されず、中央、右下隅などいずれかの設計値又は設定値にしておけば良い。さらに、カラーキーなどの所定のキー操作により、番組表表示領域１０１と予約リスト表示領域１２１との間を移動することが可能である。例えば、予約リストへ移動させると、番組表部分は予約リストでフォーカスが当てられている番組の時間帯を表示するようになっている。このように、カーソル移動とは別のカラーキーなどの所定のキーで番組表と予約リストとの間で、カーソルの移動が可能であるため、番組表と予約リストとの切り替えがいつでも可能である。
【００３２】
本実施の形態によれば、予約された番組の有無を速やかに理解することができ、また、予約された番組と近い時間帯の番組も理解することができるため、あと何件予約が可能であるのか、どの時間の番組であれば予約が可能であるのかが容易に理解できるようになるという利点がある。
【産業上の利用可能性】
【００３３】
本発明は、デジタル放送受信装置に利用可能である。
【図面の簡単な説明】
【００３４】
【図１】本発明の一実施の形態によるデジタル放送受信装置の一構成例を示す図である。
【図２】図１に示すデジタル放送受信装置と外部機器であるＤＶＤレコーダとを、それぞれのインターフェイスを介してＨＤＭＩケーブルにより接続した様子を示す図である。
【図３】制御装置であるリモコン装置の一構成例を示す図である。
【図４】電子番組表と予約リストとの表示に関する処理の流れを示す第１のフローチャート図である。
【図５】電子番組表と予約リストとの表示に関する処理の流れを示す第２のフローチャート図である。
【図６】電子番組表と予約リストとの表示に関する処理の流れを示す第３のフローチャート図である。
【図７】電子番組表と予約リストとの表示に関する処理の流れを示す第４のフローチャート図である。
【図８】番組表と予約リストとが同時に表示されている表示例を示す図である。
【図９】本実施の形態によるＥＰＧ表示画面の一例で示した図である。
【図１０】一般的な予約番組を管理する「予約リスト」画面（予約一覧）の表示例を示す図である。
【図１１】一般的な電子番組表の表示例を示す図である。
【符号の説明】
【００３５】
Ａ…デジタル放送受信装置、１…フロントエンド、３…デマルチプレクサ、５…映像・音声デコード部、７…音声出力部、７…画面合成部、１１…情報デコード部、１５…電子番組表生成部、２１…表示部、２３…リモコン受光部、２５…制御部（ＣＰＵ）、２９…ハードディスク部、２７…メモリ部（ＲＡＭ・ＲＯＭ）、３１…インターフェイス部、３３…光メディア駆動部。
【図１】
2010068454.tif 000003
【図２】
2010068454.tif 000004
【図３】
2010068454.tif 000005
【図４】
2010068454.tif 000006
【図５】
2010068454.tif 000007
【図６】
2010068454.tif 000008
【図７】
2010068454.tif 000009
【図８】
2010068454.tif 000010
【図９】
2010068454.tif 000011
【図１０】
2010068454.tif 000012
【図１１】
2010068454.tif 000013